(57)【要約】      （修正有）【課題】商品を並べるための売場の床面積を確保した上で、付属品を陳列することができる付属品陳列具を提供する。【解決手段】付属品陳列具４０は、商品２０を並べた売場に備えられ、商品に付属する付属品３０を陳列するものである。商品（スーツケース）に取り付けられる、又は売場に設けられる備品（机）に取り付けられる付属品陳列具であって、スーツケース又は机に載せられ付属品を陳列する主陳列部４１と、この主陳列部から垂れ下がる垂下部４２と、この垂下部に設けられ付属品を陳列する副陳列部５１とからなる。主陳列部４１は、付属品が配置される底部と、この底部の周縁から立ち上がる周壁部とを備え、副陳列部５１は、付属品を上下に出し入れするポケットである。【選択図】図１１
0003192885.tif 000002
【実用新案登録請求の範囲】
【請求項１】
商品を並べた売場に備えられ、前記商品に付属する付属品を陳列する付属品陳列具において、
前記商品に取り付けられる、又は前記売場に設けられる備品に取り付けられる付属品陳列具であって、
この付属品陳列具は、前記商品又は前記備品に載せられ前記付属品を陳列する主陳列部と、この主陳列部から垂れ下がる垂下部と、この垂下部に設けられ前記付属品を陳列する副陳列部とからなり、
前記主陳列部は、前記付属品が配置される底部と、この底部の周縁から立ち上がる周壁部とを備え、
前記副陳列部は、前記付属品を上下に出し入れするポケットであることを特徴とする付属品陳列具。
【請求項２】
前記主陳列部、前記垂下部及び前記副陳列部は、布又はプラスチックで構成されていることを特徴とする請求項１記載の付属品陳列具。
【請求項３】
前記付属品陳列具は、前記主陳列部が前記商品又は前記備品からずれることを防止するずれ防止部材を備えていることを特徴とする請求項１又は請求項２記載の付属品陳列具。
【請求項４】
前記商品は、上面から上へ突出する突出部を有し、
前記ずれ防止部材は、面ファスナーであり、
この面ファスナーは、前記周壁部に取り付けられ係止突起を有する第１テープと、前記係止突起に引っ掛かる被係止突起を有し前記突出部に巻き付ける第２テープとからなることを特徴とする請求項３項記載の付属品陳列具。
【請求項５】
前記主陳列部は、前記底部が矩形状であり、
前記周壁部は、前記底部の周縁のうち前部から立ち上がる前壁部と、前記底部の周縁のうち側部から立ち上がる側壁部と、前記底部の周縁のうち後部から立ち上がる後壁部とを備え、
前記側壁部及び前記後壁部は、内側シートと外側シートとからなる二重構造であり、
前記内側シートと前記外側シートとの間に隙間部が形成され、この隙間部に硬質の補強板が収納されていることを特徴とする請求項２〜４のいずれか１項記載の付属品陳列具。
【請求項６】
前記ポケットは、矩形状に形成され前記付属品を支える棚部と、この棚部の縁から立ち上がる囲い部とからなることを特徴とする請求項１〜５のいずれか１項記載の付属品陳列具。
【請求項７】
前記主陳列部及び／又は前記副陳列部の少なくとも前面は、透過性材料で構成されていることを特徴とする請求項１〜６のいずれか１項記載の付属品陳列具。
【請求項８】
前記商品は、スーツケースであることを特徴とする請求項１〜７のいずれか１項記載の付属品陳列具。
【請求項９】
前記備品は、机であることを特徴とする請求項１〜７のいずれか１項記載の付属品陳列具。
【請求項１０】
前記底部の裏面又は前記底部の縁に、滑り止め材が設けられていることを特徴とする請求項１〜９のいずれか１項記載の付属品陳列具。
【請求項１１】
前記滑り止め材は、前後方向中央で、前側滑り止め材と後側滑り止め材とに分けられ、
前記前側滑り止め材が前記後側滑り止め材から離間し、離間部が形成されていること特徴とする請求項１０記載の付属品陳列具。
【考案の詳細な説明】
【技術分野】
【０００１】
本考案は、商品を並べた売場に備えられ、商品に付属する付属品を陳列する付属品陳列具に関するものである。
【背景技術】
【０００２】
売場や展示場では、主力となる商品が並べられる他に、その商品に付属する付属品等が陳列されることがある。このような付属品を陳列する付属品陳列具が知られている（例えば、特許文献１（図１）参照。）。
【０００３】
図１５に示されるように、特許文献１の付属品陳列具１００は、床１０１に置かれる土台１０２と、この土台１０２の後部から立ち上がっている支柱１０３と、この支柱１０３の高さ方向の途中から前方に向かって延びる複数のフック１０４とを備える。付属品１０５は包装体１０６に包まれており、包装体１０６をフック１０４に吊り下げることで、付属品１０５が陳列される。このように付属品１０５が陳列された付属品陳列具１００は、売場に配置される。
【０００４】
次に、商品をスーツケースとし、スーツケースと付属品陳列具１００の配置例を説明する。
図１６に示されるように、売場１０７は矩形状を呈しており、三方が壁１０８、１０９、１１０に囲まれ、一方に入口１１１が設けられている。壁１０８際及び売場内通路１１２、１１３の間に、商品としてのスーツケース１１４が複数個並べられる。売場１０７の奥にレジスター１１５を備えた机１１６が設置され、奥の壁１０９際に付属品１０５が陳列された付属品陳列具１００が設置されている。
【０００５】
売場１０７の床面積は、商品１１４の占有床面積と、通路１１２、１１３の面積と、机１１６の占有床面積と、付属品陳列具１００の占有床面積の合計となる。
この売場１０７には、これ以上の数の商品１１４を並べることができない。
【０００６】
しかし、商品１１４の種類やサイズが多様化する中、一定の大きさの売場１０７に、より多くの商品１１４を並べることが求められる。
すなわち、付属品１０５を陳列した上で、商品１１４の占有床面積を増加することができる技術が望まれる。
【先行技術文献】
【特許文献】
【０００７】
【特許文献１】特開２０００−１７５７９０号公報
【考案の概要】
【考案が解決しようとする課題】
【０００８】
本考案は、付属品を陳列した上で、商品の占有床面積を増加することができる付属品陳列具を提供することを課題とする。
【課題を解決するための手段】
【０００９】
請求項１に係る考案は、商品を並べた売場に備えられ、前記商品に付属する付属品を陳列する付属品陳列具において、前記商品に取り付けられる、又は前記売場に設けられる備品に取り付けられる付属品陳列具であって、この付属品陳列具は、前記商品又は前記備品に載せられ前記付属品を陳列する主陳列部と、この主陳列部から垂れ下がる垂下部と、この垂下部に設けられ前記付属品を陳列する副陳列部とからなり、前記主陳列部は、前記付属品が配置される底部と、この底部の周縁から立ち上がる周壁部とを備え、前記副陳列部は、前記付属品を上下に出し入れするポケットであることを特徴とする。
【００１０】
請求項２に係る考案は、主陳列部、垂下部及び副陳列部は、布又はプラスチックで構成されていることを特徴とする。
【００１１】
請求項３に係る考案は、付属品陳列具は、主陳列部が商品又は備品からずれることを防止するずれ防止部材を備えていることを特徴とする。
【００１２】
請求項４に係る考案は、商品は、上面から上へ突出する突出部を有し、ずれ防止部材は、面ファスナーであり、この面ファスナーは、周壁部に取り付けられ係止突起を有する第１テープと、係止突起に引っ掛かる被係止突起を有し突出部に巻き付ける第２テープとからなることを特徴とする。
【００１３】
請求項５に係る考案は、主陳列部は、底部が矩形状であり、周壁部は、底部の周縁のうち前部から立ち上がる前壁部と、底部の周縁のうち側部から立ち上がる側壁部と、底部の周縁のうち後部から立ち上がる後壁部とを備え、側壁部及び後壁部は、内側シートと外側シートとからなる二重構造であり、内側シートと外側シートとの間に隙間部が形成され、この隙間部に硬質の補強板が収納されていることを特徴とする。
【００１４】
請求項６に係る考案は、ポケットは、矩形状に形成され付属品を支える棚部と、この棚部の縁から立ち上がる囲い部とからなることを特徴とする。
【００１５】
請求項７に係る考案は、主陳列部及び／又は副陳列部の少なくとも前面は、透過性材料で構成されていることを特徴とする。
【００１６】
請求項８に係る考案は、商品は、スーツケースであることを特徴とする。
【００１７】
請求項９に係る考案は、備品は、机であることを特徴とする。
【００１８】
請求項１０に係る考案は、底部の裏面又は底部の縁に、滑り止め材が設けられていることを特徴とする。
【００１９】
請求項１１に係る考案は、滑り止め材は、前後方向中央で、前側滑り止め材と後側滑り止め材とに分けられ、前側滑り止め材が後側滑り止め材から離間し、離間部が形成されていること特徴とする。
【考案の効果】
【００２０】
請求項１に係る考案では、付属品陳列具は、商品又は売場に設けられる備品に取り付けられ、商品又は備品に載せられる主陳列部を有するので、商品又は備品を付属品陳列具の配置場所として利用でき、付属品陳列具のためだけの配置場所を必要としない。結果、付属品を陳列した上で、商品の占有床面積を増加することができる。
【００２１】
加えて、主陳列部は、底部と周壁部とからなり、倒れ易い形態の付属品であっても、周壁部で倒れを防止して付属品を安定した状態で陳列することができる。
また、副陳列部はポケットであるため、倒れ易い形態の付属品を上から差し入れることで、付属品を安定した状態で陳列することができる。
よって、簡単な構造で、複数の付属品を陳列することができる。
【００２２】
請求項２に係る考案では、主陳列部、垂下部及び副陳列部は、布又はプラスチックで構成されているので、付属品陳列具を折り畳んで小さくすることができる。
【００２３】
請求項３に係る考案では、付属品陳列具は、ずれ防止部材を備えている。仮に、客の身体が付属品陳列具に触れても、付属品陳列具がずれる心配がない。
【００２４】
請求項４に係る考案によれば、商品側の突出部に面ファスナーで付属品陳列具を止めることができる。面ファスナーであるから、着脱が容易であるとともに、突出部の形状の変化や大きさの変化に十分に対応させることができる。
【００２５】
請求項５に係る考案では、主陳列部は、底部が矩形状であり、周壁部は、前壁部と、側壁部と、後壁部とを備え、側壁部及び後壁部は、内側シートと外側シートとからなる二重構造である。内側シートと外側シートとの間の隙間部に硬質の補強板が収納されているので、周壁部の形状を崩れないようにし、背の高い商品であっても支えることができ、陳列された商品の見栄えを良くすることができる。
【００２６】
請求項６に係る考案では、ポケットは、矩形状に形成され付属品を支える棚部と、この棚部の縁から立ち上がる囲い部とからなる。付属品の底が平坦であれば、この底を棚部に安定した状態で載せることができる。付属品が箱に収納されているときには、箱の底を棚部に載せることができる。
【００２７】
請求項７に係る考案では、主陳列部及び／又は副陳列部の少なくとも前面は、透過性材料で構成されている。透過性材料を通して付属品が見えるため、付属品の形や色を認識させることができる。
【００２８】
請求項８に係る考案では、商品は、スーツケースである。スーツケースのほとんどは、キャスターを備えており、売場にはキャスターを下にして並べられる。このときに、スーツケースの上面に主陳列部を載せ、垂下部をスーツケースの側面に倣わせることで、容易に付属品陳列具をスーツケースに取り付けることができる。
【００２９】
請求項９に係る考案では、備品は、机である。机の上面に主陳列部を載せ、垂下部を机の脇に垂らすことで、容易に付属品陳列具を売場に配置することができる。
【００３０】
請求項１０に係る考案では、底部の裏面又は底部の縁に、滑り止め材が設けられているので、付属品陳列具が、商品（又は机）から脱落する心配がない。
【００３１】
請求項１１に係る考案では、滑り止め材は、前後方向中央で、前側滑り止め材と後側滑り止め材とに分けられている。多くのスーツケースでは、ケース本体と蓋体との嵌合部分が若干盛り上がっている。仮に、滑り止め材が嵌合部分に載り上がると、スーツケースの上面と滑り止め材との間に隙間ができ、滑り止め性能が低下する。
本考案では、付属品陳列具は、前側滑り止め材が後側滑り止め材から離間し、離間部が形成されているので、スーツケースの嵌合部分の盛り上がりを離間部で吸収することができる。結果、滑り止め材がスーツケースの上面に密着し、滑り止め性能が高まる。また、離間部を境にして、底部を容易に折り曲げることができ、付属品陳列具を小さく折り畳むことができる。
【図面の簡単な説明】
【００３２】
【図１】本考案に係る付属品陳列具を配置したスーツケース売場の説明図である。
【図２】付属品陳列具の斜視図である。
【図３】付属品陳列具の分解斜視図である。
【図４】付属品陳列具から補強板が外れた状態の斜視図である。
【図５】図２の５矢視図である。
【図６】スーツケースに付属品陳列具を取り付ける説明図である。
【図７】図６の７矢視図である。
【図８】図７の８−８線断面図である。
【図９】図７の９−９線断面図である。
【図１０】図７の別態様の説明図である。
【図１１】スーツケースに付属品陳列具を配置した作用図である。
【図１２】机に付属品陳列具を配置した作用図である。
【図１３】売場における付属品陳列具の作用図である。
【図１４】付属品陳列具を折り畳む説明図である。
【図１５】従来技術に係る付属品陳列具の側面図である。
【図１６】従来技術に係る付属品陳列具の売場における配置例を示す図である。
【考案を実施するための形態】
【００３３】
本考案を実施するための形態を添付図に基づいて以下に説明する。なお、図面は符号の向きに見るものとする。
【実施例】
【００３４】
先ず、本考案の実施例を図面に基づいて説明する。
図１に示されるように、売場１０は、商品としてのスーツケース２０の売場１０であり、床１１に、複数のスーツケース２０（スーツケース２０Ａ、２０Ｂ、２０Ｃ、２０Ｄ、２０Ｅと示す。）が並べられている。スーツケース２０の近くに備品としての机１２が配置され、机１２の天板１３にレジスター１４が配置されている。また、売場１０には、スーツケース２０の他に、付属品３０も陳列されている。
【００３５】
スーツケース２０Ａに、付属品３０としてのスーツケースカバー３０Ａが被せられている。スーツケースカバー３０Ａは、旅行時におけるスーツケース２０の識別、保護に用いられるものである。スーツケース２０Ｃに、付属品３０としてのスーツケースベルト３０Ｂが取り付けられている。スーツケースベルト３０Ｂは、旅行時におけるスーツケース２０の識別やスーツケース２０が開くことを防止するものである。
【００３６】
スーツケース２０Ｂに、付属品３０を陳列する付属品陳列具４０が取り付けられている。また、机１２に、付属品陳列具４０が取り付けられている。付属品陳列具４０には、付属品３０としての、箱に収納されたスーツケースカバー３０Ａ、スーツケースベルト３０Ｂ、タグ３０Ｃ及び小物入れ３０Ｄが陳列されている。なお、付属品３０は、上述したものに限定されず、旅行に関連する付属品、その他の小物であっても差し支えない。
【００３７】
このように、スーツケース２０の直上に付属品３０を陳列できるので、付属品３０の購買意欲をかき立てることができ、付属品３０の販売促進に貢献することができる。また、レジスター１４が配置された机１３に付属品３０を陳列することでも、付属品３０の販売促進に貢献することができる。
【００３８】
次に付属品陳列具４０について説明する。
図２に示されるように、付属品陳列具４０は、スーツケース２０（図１参照）又は机１２に載せられ付属品３０を陳列する主陳列部４１と、この主陳列部４１から垂れ下がる垂下部４２と、この垂下部４２に設けられ付属品３０を陳列する副陳列部５１とからなる。
【００３９】
主陳列部４１は、付属品３０が配置される底部４３と、この底部４３の周縁４４から立ち上がる周壁部４５とを備える。詳細には、底部４３は矩形状であり、周壁部４５は、底部４３の周縁４４のうち前部４４ａから立ち上がる前壁部４６と、底部４３の周縁４４のうち側部４４ｂ、４４ｂから立ち上がる側壁部４７、４７と、底部４３の周縁４４のうち後部４４ｃから立ち上がる後壁部４８とを備える。
【００４０】
副陳列部５１は、付属品３０を上下に出し入れするポケット５１であり、第１の副陳列部５１ａ（以下、第１のポケット５１ａという。）と、第２の副陳列部５１ｂ（以下、第２のポケット５１ｂという。）とからなる。第１のポケット５１ａは、底部４３の周縁４４のうち前部４４ａの下方に位置するとともに、垂下部４２から前方に突出するように設けられている。第２のポケット５１ｂは、第１のポケット５１ａの下方に位置するとともに、垂下部４２から前方に突出するように設けられている。
【００４１】
第１のポケット５１ａは、矩形状に形成され付属品３０を支える棚部５２ａと、この棚部５２ａの縁５３ａから立ち上がる囲い部５４ａとからなる。囲い部５４ａは、棚部５２ａの縁５３ａのうち前部から立ち上がる前面部５５ａと、棚部５２ａの縁５３ａのうち側部から立ち上がる側面部５６ａとからなる。
【００４２】
同様に、第２のポケット５１ｂは、矩形状に形成され付属品３０を支える棚部５２ｂと、この棚部５２ｂの縁５３ｂから立ち上がる囲い部５４ｂとからなる。囲い部５４ｂは、棚部５２ｂの縁５３ｂのうち前部から立ち上がる前面部５５ｂと、棚部５２ｂの縁５３ｂのうち側部から立ち上がる側面部５６ｂとからなる。
【００４３】
次に付属品陳列具４０を分解斜視図に基づいて説明する。
図３に示されるように、主陳列部４１の側壁部４７、４７及び後壁部４８は、内側シート６１と外側シート６２とからなる二重構造である。底部４３、側壁部４７、４７の内側、後壁部４８の内側、垂下部４２及び棚部５２ｂは、一枚の布によって構成されている。側壁部４７、４７の外側及び後壁部４８の外側は、一枚の布によって構成されている。
【００４４】
前壁部４６は、透過性及び可撓性を有するプラスチックで構成されている。なお、前壁部４６は、ポリ塩化ビニルであれば好ましい。また、前面部５５ａ及び側面部５６ａ、５６ａは、一枚の透過性及び可撓性を有するプラスチックで構成されている。同様に、前面部５５ｂ及び側面部５６ｂ、５６ｂは、一枚の透過性及び可撓性を有するプラスチックで構成されている。なお、前面部５５ａ、５５ｂ及び側面部５６ａ、５６ａ、５６ｂ、５６ｂは、ポリ塩化ビニルであれば好ましい。また、第１ポケット５１ａを構成する棚部５２ａは、一枚の布によって構成されている。なお、実施例では、前壁部４６、前面部５５ａ、５５ｂ及び側面部５６ａ、５６ａ、５６ｂ、５６ｂを構成するプラスチックは、ポリ塩化ビニルとしたが、これに限定されず、ＡＢＳ樹脂、ポリカーボネート等、透過性及び可撓性を有するプラスチックであれば差し支えない。また、実施例では、各部分を一枚の布、一枚のプラスチックとしたが、これに限定されず、複数の布や複数のプラスチックを繋ぎ合わせたものであっても差し支えない。
【００４５】
次に付属品陳列具４０の成形について説明する。
図３、図４に示されるように、側壁部４７、４７及び後壁部４８は、底部４３に対して折り曲げられ、内側シート６１が形成される。この内側シート６１は、外側から外側シート６２で覆われ、外側シート６２が内側シート６１に縫い合わせられる。縫い合わせの際、内側シート６１の上縁と外側シート６２の上縁は開放され、内側シート６１と外側シート６２の間に隙間部６３が形成される。また、前壁部４６は、側壁部４７、４７の前端及び側部４３の前部４４ａに縫い合わせられる。
【００４６】
側壁部４７、４７は、前後方向中央で縫い合わされ、縫い部６４、６４が形成される。このため、側壁部４７、４７の隙間部６３は、前後方向中央で側壁前側隙間部６３ａ、６３ａと側壁後側隙間部６３ｂ、６３ｂとに区画される。すなわち、隙間部６３は、側壁前側隙間部６３ａ、６３ａ、側壁後側隙間部６３ｂ、６３ｂ及び後壁部４８の後壁隙間部６３ｃの５つに区画されている。これらの側壁前側隙間部６３ａ、６３ａ、側壁後側隙間部６３ｂ、６３ｂ及び後壁隙間部６３ｃには、それぞれ補強板６５ａ、６５ａ、６５ｂ、６５ｂ、６５ｃが収納される。以上のようにして、主陳列部４１が形成される。
【００４７】
また、第１ポケット５１ａにおいて、側面部５６ａ、５６ａは、前面部５５ａに対して折り曲げられる。棚部５２ａは、前面部５５ａの下端及び側面部５６ａ、５６ａの下端に縫い合わせられる。側面部５６ａ、５６ａの後端及び棚部５２ａの後端は、垂下部４２に縫い合わせられる。
【００４８】
同様に、第２ポケット５１ｂにおいて、側面部５６ｂ、５６ｂは、前面部５５ｂに対して折り曲げられる。垂下部４２の下部は、前方に折り曲げられ、棚部５２ｂが形成される。側面部５６ｂ、５６ｂの後端は、垂下部４２に縫い合わせられる。棚部５２ｂの縁５３ｂは、前面部５５ｂの下端及び側面部５６ｂ、５６ｂの下端に縫い合わせられる。以上のようにして、副陳列部５１が形成される。
【００４９】
次に付属品陳列具４０の後側及び下側について説明する。
図５に示されるように、底部４３の裏面４３ａに、滑り止め材７１が設けられている。滑り止め材７１が設けられているので、付属品陳列具４０が、商品２０又は机１２（図１参照）から脱落する心配がない。
【００５０】
また、滑り止め材７１は、前後方向中央で、前側滑り止め材７２と後側滑り止め材７３とに分けられている。後側滑り止め材は、前側滑り止め材７２から離間しており、離間部７４が形成されている。なお、実施例では、滑り止め材７２をラバーとしたが、これに限定されず、商品２０（図１参照）及び備品１２に対して付属品陳列具４０が滑ることを防止できれば、樹脂等、他の材質であっても差し支えない。また、滑り止め材７１を２つに分けずに、１つとしてもよく、さらには、滑り止め材７１がなくても差し支えない。
【００５１】
付属品陳列具４０は、周壁部４５の後側に、ずれ防止部材８１を備えている。ずれ防止部材８１は、面ファスナー８１であり、付属品陳列具４０がスーツケース２０（図１参照）や机１２からずれないように係止するための部材である。面ファスナー８１は、後壁部４８に横幅方向全域にわたって取り付けられた第１テープ８２と、この第１テープ８２とは別に設けられるとともに第１テープ８２と同じ長さに形成された第２テープ８３とからなる。第１テープ８２には、略全面に係止突起８４が設けられており、第２テープ８３には、略全面に係止突起８４に引っ掛かる被係止突起８５が設けられている。なお、実施例では、第１テープ８２の一端に第２テープ８３の一端を接続したが、これに限定されず、第２テープ８３を第１テープ８２から切り離して別体としても差し支えない。以降は、第２テープ８３を第１テープ８２から切り離した態様に基づいて説明する。
【００５２】
また、主陳列部４１の上端部及び下端部、垂下部４２の端部、副陳列部５１の上端部及び下端部には、縁を補強する縁補強部材９１が設けられている。縁補強部材９１は、布であれば好ましいが、縁を補強できれば、樹脂、ゴム等、他の部材であっても差し支えない。また、底部４３の縁に設けられた縁補強部材９１を、ゴム、樹脂等の滑り止め材で構成しても差し支えない。さらに、縁補強部材９１を前後方向中央で分け、離間させても差し支えない。
【００５３】
次に付属品陳列具４０のスーツケース２０への取付について説明する。
図６に示されるように、スーツケース２０は、衣類などの主物品を収納するケース本体２１と、このケース本体２１に図示せぬヒンジを介して開閉可能に取り付けられた蓋体２２と、ケース本体２１に引出可能に設けられた突出部としての伸縮取っ手２３と、ケース本体２１及び蓋体２２に設けられたキャスター２４とを備えている。
【００５４】
キャスター２４の取付位置をケース本体２１及び蓋体２２の下部とした場合に、伸縮取っ手２３はケース本体１１の背面上部に位置しており、スイッチ２３ｂを押しロックを解除して伸縮取っ手２３を引き出し、手で把持することで、スーツケース２０を牽引移動させることができる。また、キャスター２４を地面や床に設置することで、スーツケース２０を自立させることができる。
【００５５】
スーツケース２０におけるヒンジの反対側の側面２５には、持ち運び用の把持部２６が揺動可能、起伏又は引出可能に設けられている。なお、把持部２６の形状は、実施例の形状に限定されず、固定式であってもよく、手で把持することができれば、他の一般的な取っ手の形状であっても差し支えない。また、把持部２６を、スーツケース２０の上面２７に設けても差し支えない。なお、実施例では、伸縮取っ手２３は、上面２７から上へ突出した状態である。
【００５６】
付属品陳列具４０を矢印（１）のように移動させ、スーツケース２０の上面２７に配置する。主陳列部４１は、底部４３がスーツケース２０の上面２７に置かれ、後壁部４８が伸縮取っ手２３のスライドバー２３ａ、２３ａに接触する。スライドバー２３ａ、２３ａの後方から第２テープ８３を矢印（２）のように移動させる。
【００５７】
図７に示されるように、第２テープ８３を第１テープ８２に係止する。スーツケース２０の種類、サイズによっては、スライドバー２３ａ、２３ａ間の距離が異なるが、面ファスナー８１を用いることで、スライドバー２３ａ、２３ａ間の距離の違いを吸収することができる。なお、実施例では、係止突起８４及び被係止突起８５を、それぞれ第１テープ８２及び第２テープ８３の略全面に設けたが、これに限定されず、係止突起８４及び被係止突起８５を、それぞれ第１テープ８２及び第２テープ８３の、両端部と中央部のみに設けても差し支えない。この場合、スライドバー２３ａ、２３ａの中間部分及び両外側部分を係止することができるとともに、係止突起８４及び被係止突起８５の部品コストを低減させることができる。
【００５８】
図８に示されるように、面ファスナー８１の第２テープ８３は、伸縮取っ手２３の左右のスライドバー２３ａ、２３ａに巻き付けられるとともに、第１テープ８２に係止されている。第２テープ８３は、左右のスライドバー２３ａ、２３ａの間と、左右のスライドバー２３ａ、２３ａの両外側の３カ所で、第１テープ８２に係止されている。このため、スーツケース２０の前後方向及び左右方向に対して、付属品陳列具４０がずれることを防止できる。
【００５９】
図９に示されるように、スーツケース２０において、ケース本体２１と蓋体２２との嵌合部分２８は、側面視で、スーツケース２０の上面２７よりも若干盛り上がっている。
【００６０】
一方、付属品陳列具４０は、前側滑り止め材７２と後側滑り止め材７３との間に離間部７４が形成されているので、嵌合部分２８の盛り上がりを離間部７４で吸収することができる。結果、前側滑り止め材７２及び後側滑り止め材７３がスーツケース２０の上面２７に密着し、滑り止め性能が高まる。さらに、底部４３は略平面状になるので、主陳列部４１に同種類の付属品３０（図１参照）を複数置いた際、前後方向における付属品３０の高さを揃え、綺麗に陳列することができる。
【００６１】
また、スーツケース２０のサイズが大きく、主陳列部４１の前後方向の距離よりも、スーツケース２０の上面２７の前後方向の距離が大きい場合であっても、垂下部４２が前後方向の距離の違いを吸収する。このため、主陳列部４１、副陳列部５１共に、スーツケース２０に対して、安定して配置することができる。
【００６２】
次に、ずれ防止部材８１の別態様を図面に基づいて説明する。なお、図７に示した構成と同一構成については同一符号を付け、詳細説明は省略する。
図１０に示されるように、ずれ防止部材８１は、帯８１である。帯８１は、後壁部４８に沿って横幅方向に延びており、帯８１の端部８６、８６は、後壁部４８に縫いつけられている。スーツケース２０の伸縮取っ手２３を、帯８１と後壁部４８の間に通すことで、付属品陳列具４０がスーツケース２０からずれないように係止することができる。また、帯８１であれば、部品のコストを低減することができる。
【００６３】
以上に述べた付属品陳列具４０の作用について説明する。
図１１に示されるように、付属品陳列具４０は、スーツケース２０に取り付けられている。主陳列部４０は、スーツケース２０の上面２７に配置され、垂下部４２が垂れ下がり、副陳列部５１がスーツケース２０の正面２８に配置されている。主陳列部４０及び副陳列部５１には、複数の付属品３０が陳列されている。
【００６４】
スーツケース２０の需要者は、スーツケース２０の配置場所で同時に付属品３０も見ることができ、付属品３０の購入意欲を喚起することができる。スーツケースカバーやスーツケースベルトのような付属品３０は、スーツケース２０に取り付けるものであるため、付属品３０をスーツケース２０に取り付けたイメージを想起し易くできる。
【００６５】
加えて、主陳列部４１及び副陳列部５１の前面は透過性材料で構成されているので、前面から付属品３０を視認し易い。さらに、副陳列部５１は、スーツケース２０の正面２８よりも前方に突出しているが、副陳列部５１の側面部５６ａ、５６ｂも透過性材料で構成されているので、スーツケース２０から離れた側方からも付属品を視認することができる。
【００６６】
さらに、主陳列部４１は、底部４３（図２参照）と周壁部４５とからなり、倒れ易い形態の付属品３０であっても、周壁部４５で倒れを防止して付属品３０を安定した状態で陳列することができる。また、副陳列部５１はポケットであるため、倒れ易い形態の付属品３０を上から差し入れることで、付属品３０を安定した状態で陳列することができる。よって、簡単な構造で、複数の付属品３０を陳列することができる。
【００６７】
図１２に示されるように、付属品陳列具４０は、机１２に取り付けられている。主陳列部４０は、机１２の天板１３に配置され、垂下部４２が垂れ下がり、副陳列部５１が前方に配置されている。主陳列部４０及び副陳列部５１には、複数の付属品３０が陳列されている。スーツケース２０の需要者は、スーツケース２０の会計をする際に、付属品３０を視認でき、付属品３０の購入意欲を喚起することができる。
【００６８】
また、ずれ防止部材８１にフック１５が掛けられ、フック１５から延びている紐１６の他端が、机１２に取り付けられた係止部材１７に接続されている。このため、付属品陳列具４０に人の接触等の外力が加えられても、付属品陳列具４０が天板１３から落下することを防止できる。
【００６９】
なお、実施例では、天板１３が鉄製であれば、係止部材１７をマグネットで天板１３に係止してもよい。係止部材１７をフックとして、机１３の一部に引っ掛けてもよい。さらには、ずれ防止部材８１を紐１６のみで机１３の一部に係止しても差し支えない。
【００７０】
図１３（ａ）は比較例の売場を示す平面図であり、売場１０７は、三方が壁１０８、１０９、１１０に囲まれ、一方に入口１１１が設けられている。壁１０８際及び売場内通路の間に、スーツケース１１４が複数並べられている。売場１０７の奥にレジスター１１５を備えた机１１６が設置され、奥の壁１０９際に付属品１０５が陳列されたラック状の付属品陳列具１００が設置されている。ラック状の付属品陳列具１００があるため、売場１０７の入口１１１から奥の壁１０９までの距離はＬ１であるのに対し、スーツケース１１４は、距離Ｌ１よりも小さい距離Ｌ２までしか置くことができない。
【００７１】
図１３（ｂ）は実施例の売場を示す平面図であり、売場１０は、三方が壁１８ａ、１８ｂ、１８ｃに囲まれ、一方に入口１９が設けられている。壁１８ａ際及び売場内通路の間に、スーツケース２０が複数並べられている。売場１０の奥にレジスター１４を備えた机１２が設置されている。スーツケース２０及び机１２には、付属品陳列具４０が取り付けられ、こららの付属品陳列具４０に複数の付属品３０が陳列されている。
【００７２】
売場１０の入口１９から奥の壁１８ｂまでの距離はＬ１であるのに対し、スーツケース２０を、図１３（ａ）の距離Ｌ２よりも大きいＬ３まで置くことができる。このように、付属品陳列具４０は、スーツケース２０又は売場に設けられる机１２に取り付けられ、スーツケース２０又は机１２に載せられる主陳列部４１を有するので、スーツケース２０又は机１２を付属品陳列具４０の配置場所として利用でき、付属品陳列具４０のためだけの配置場所を必要としない。結果、付属品３０を陳列した上で、スーツケース２０の占有床面積を増加することができる。
【００７３】
次に付属品陳列具４０の折り畳みについて説明する。
図１４（ａ）に示されるように、付属品陳列具４０の側壁部４７、４７を、矢印（３）のように縫い部６４、６４から谷折りにする。左右の側壁部４７、４７は、補強板６５ａ、６５ｂ（図４参照）によって補強されているが、左右の側壁部４７、４７のそれぞれにおいて、縫い部６４、６４を境界として２つの補強板６５ａ、６５ｂに分けているので、側壁部４７、４７を容易に折り畳むことができる。さらに、垂下部４２を矢印（４）のように曲げる
【００７４】
図１４（ｂ）に示されるように、垂下部４２も折り畳むことで、付属品陳列具４０は、主陳列部４１、第１のポケット５１ａ及び第２のポケット５１ｂを重ねるようにして折り畳むことができる。このため、付属品陳列具４０は、収納場所が小さくて済み、持ち運びも容易にできる。
【００７５】
尚、本考案の付属品陳列具４０は、実施例では、副陳列部５１を２つ設けたが、これに限定されず、副陳列部５１を１つ又は３つ等複数設けても差し支えない。また、実施例では、主陳列部４１の前面及び副陳列部５１の前面を透過性材料で構成したが、これに限定されず、主陳列部４１の前面又は副陳列部５１の前面のどちらか一方のみを透過性材料で構成しても差し支えない。さらには、付属品陳列部４０全体を透過性材料又は布で構成しても差し支えない。
【００７６】
また、実施例では、付属品陳列具４０をスーツケース２０及びレジスター１４を備えた机１２に取り付けたが、これに限定されず、鞄、段差のある壁、柱及び棚等、付属品陳列具４０を取り付けることができれば、他の商品２０や売場１０の備品１２に取り付けても差し支えない。また、実施例では、ずれ防止部材８１を商品２０又は備品１２に係止したが、ずれ防止部材８１を係止しなくても差し支えない。この場合、主陳列部４１に付属品３０を陳列することで、付属品３０の重みによって主陳列部４１が移動しないようにでき、副陳列部５１にも付属品３０を陳列することができる。
【産業上の利用可能性】
【００７７】
本考案の付属品陳列具は、スーツケースへの取り付けに好適である。
【符号の説明】
【００７８】
１０…  売場
１２…  備品（机）
２０、２０Ａ、２０Ｂ、２０Ｃ、２０Ｄ、２０Ｅ…商品（スーツケース）
２７…  スーツケースの上面
３０…  付属品
４０…  付属品陳列具
４１…  主陳列部
４２…  垂下部
４３…  底部
４４…  底部の周縁
４５…  周壁部
４６…  前壁部
４７…  側壁部
４８…  後壁部
５１、５１ａ、５１ｂ…副陳列部（ポケット）
５２ａ、５２ｂ…棚部
５３ａ、５３ｂ…棚部の縁
５４ａ、５４ｂ…囲い部
６１…  内側シート
６２…  外側シート
６３…  隙間部
７１…  滑り止め材
７２…  前側滑り止め材
７３…  後側滑り止め材
７４…  離間部
８１…  ずれ防止部材（面ファスナー）
８２…  第１テープ
８３…  第２テープ
８４…  係止突起
８５…  被係止突起。
【図１】
0003192885.tif 000003
【図２】
0003192885.tif 000004
【図３】
0003192885.tif 000005
【図４】
0003192885.tif 000006
【図５】
0003192885.tif 000007
【図６】
0003192885.tif 000008
【図７】
0003192885.tif 000009
【図８】
0003192885.tif 000010
【図９】
0003192885.tif 000011
【図１０】
0003192885.tif 000012
【図１１】
0003192885.tif 000013
【図１２】
0003192885.tif 000014
【図１３】
0003192885.tif 000015
【図１４】
0003192885.tif 000016
【図１５】
0003192885.tif 000017
【図１６】
0003192885.tif 000018